(57)【要約】【課題】接続部材の破損を防止するとともに、作業者にかかる負担軽減を図ること。【解決手段】引下線１０１および電気の需要施設に接続されるケーブル１０２を電気的に接続する高圧側接続端子１０５および低圧側接続端子１０６と、高圧側接続端子１０５および低圧側接続端子１０６に螺合されることにより引下線１０１およびケーブル１０２を高圧側接続端子１０５および低圧側接続端子１０６に固定する固定部材１０７と、を備えた引込分岐端子箱１００において、固定部材１０７を、高圧側接続端子１０５および低圧側接続端子１０６に螺合される螺子部３０１と、当該螺子部３０１に連続したリング形状をなす頭部３０２と、を備えたアイボルトによって構成した。【選択図】図４
2018067385.tif 000002
【特許請求の範囲】
【請求項１】
配電線から分岐された引下線を電気の需要施設に接続されるケーブルに分岐する引込分岐端子箱であって、
前記引下線と前記ケーブルとを電気的に接続する導体と、
前記導体に螺合されることにより前記引下線および前記ケーブルを前記導体に固定する固定部材と、
を備え、
前記固定部材は、前記導体に螺合される螺子部と、当該螺子部に連続したリング形状をなす頭部と、を備えたアイボルトであることを特徴とする引込分岐端子箱。
【請求項２】
前記固定部材の頭部は、絶縁材料によって被覆されていることを特徴とする請求項１に記載の引込分岐端子箱。
【請求項３】
前記固定部材は、隣り合う前記固定部材の前記導体からの距離が異なるように配置されていることを特徴とする請求項１または２に記載の引込分岐端子箱。
【発明の詳細な説明】
【技術分野】
【０００１】
この発明は、配電線の分岐に用いる引込分岐端子箱に関する。
【背景技術】
【０００２】
従来、電柱に架設されている配電線から各家庭などの需要施設に電線を引き回す際には、電柱の変圧器の低圧側から引き出されているケーブルを分岐させ、需要施設に引き回している。このような分岐作業は、たとえば、電柱の腕金アームなどに取り付けられている引込分岐端子箱内の端子に引下線を接続するとともに、需要施設に引き回すケーブルを引込分岐端子箱内の別の端子に接続することによっておこなう。
【０００３】
従来、引込分岐端子箱に接続される引下線やケーブルは、引込分岐端子箱内において、ドライバー（レンチ）などの工具を用いて操作する螺子（ボルト）を用いて接続されていた。このため、作業者は、引込分岐端子箱に対する作業をおこなう場合は、端子の操作に用いる工具を携帯していた。
【０００４】
関連する技術として、従来、たとえば、端子箱内の端子を挟持する方向に付勢されたクリップ本体部を、端子箱の側壁と端子台との間に差し入れた状態を保持する係止爪を備えた端子箱用クリップに関する技術があった（たとえば、下記特許文献１を参照。）。
【先行技術文献】
【特許文献】
【０００５】
【特許文献１】特開２０１０−１４０７７８号公報
【発明の概要】
【発明が解決しようとする課題】
【０００６】
しかしながら、上述した従来の技術は、引込分岐端子箱内において引下線や引込電線を固定する螺子を締めたり緩めたりする作業は、絶縁のための手袋を着用しておこなうため、ドライバーなどの工具を操作する力加減が難しく、螺子を過剰に締め込んで螺子が千切れたり螺子山が潰れたりするなどして、螺子を損傷させてしまうおそれがあるという問題があった。
【０００７】
また、ドライバーなどの工具を用いるため、当該工具を所持して昇柱しなくてはならず煩わしいという問題に加えて、高所からの工具の落下のおそれがあるという問題があった。さらに、ドライバーなどの工具は一般的に金属材料を用いて形成されているため、作業者は、感電防止のために絶縁手袋を着用して作業をおこなわなくてはならないが、当該絶縁手袋は厚手であり、工具の操作にかかる操作性に劣るという問題があった。この対策として、仮に、螺子に加えられる力を絶縁のための手袋を薄手のものにした場合、金属製のドライバーを介して作業者が感電するおそれがあるという問題があった。
【０００８】
この発明は、上述した従来技術による問題点を解消するため、接続部材の破損を防止するとともに、作業者にかかる負担軽減を図ることができる引込分岐端子箱を提供することを目的とする。
【課題を解決するための手段】
【０００９】
上述した課題を解決し、目的を達成するため、この発明にかかる引込分岐端子箱は、配電線から分岐された引下線を電気の需要施設に接続されるケーブルに分岐する引込分岐端子箱であって、前記引下線と前記ケーブルとを電気的に接続する導体と、前記導体に螺合されることにより前記引下線および前記ケーブルを前記導体に固定する固定部材と、を備え、前記固定部材は、前記導体に螺合される螺子部と、当該螺子部に連続したリング形状をなす頭部と、を備えたアイボルトであることを特徴とする。
【００１０】
また、この発明にかかる引込分岐端子箱は、上記の発明において、前記固定部材の頭部が、絶縁材料によって被覆されていることを特徴とする。
【００１１】
また、この発明にかかる引込分岐端子箱は、上記の発明において、前記固定部材が、隣り合う前記固定部材の前記導体からの距離が異なるように配置されていることを特徴とする。
【発明の効果】
【００１２】
この発明にかかる引込分岐端子箱によれば、接続部材の破損を防止するとともに、作業者にかかる負担軽減を図ることができるという効果を奏する。
【図面の簡単な説明】
【００１３】
【図１】この発明にかかる実施の形態の引込分岐端子箱の構成を示す説明図（その１）である。
【図２】この発明にかかる実施の形態の引込分岐端子箱の構成を示す説明図（その２）である。
【図３】接続部材の構成を示す説明図である。
【図４】接続部材の操作方法を示す説明図である。
【図５】接続部材における頭部の別の形状の一例を示す説明図（その１）である。
【図６】接続部材における頭部の別の形状の一例を示す説明図（その２）である。
【図７】接続部材における頭部の別の形状の一例を示す説明図（その３）である。
【発明を実施するための形態】
【００１４】
以下に添付図面を参照して、この発明にかかる引込分岐端子箱の好適な実施の形態を詳細に説明する。
【００１５】
まず、この発明にかかる実施の形態の引込分岐端子箱の構成について説明する。図１および図２は、この発明にかかる実施の形態の引込分岐端子箱の構成を示す説明図である。図１においては、この発明にかかる実施の形態の引込分岐端子箱を斜め方向から見た状態を示している。図２においては、この発明にかかる実施の形態の引込分岐端子箱を正面から見た状態を示している。
【００１６】
図１および図２において、この発明にかかる実施の形態の引込分岐端子箱１００は、電柱に架設される高圧線の電力を家屋などの受給施設に供給する電路の接続部分に設置される。引込分岐端子箱１００には、高圧線から分岐された引下線１０１と、受給施設に接続されるケーブル１０２と、が接続される。
【００１７】
引込分岐端子箱１００は、一面に開口を備えた箱形状をなす本体部１０３と、本体部１０３における開口を開放可能に閉塞する蓋部１０４と、を備えている。本体部１０３の内部には、引下線１０１と接続する高圧側接続端子１０５、低圧側のケーブル１０２と接続する低圧側接続端子１０６などが設けられている。高圧側接続端子１０５および低圧側接続端子１０６は、導電性を有する材料を用いて形成された導体であって、固定部材１０７によって固定される引下線１０１やケーブル１０２が接続される。
【００１８】
引込分岐端子箱１００において、各固定部材１０７は、固定部材１０７の配置方向に沿って隣合う固定部材１０７と異なる長さとなるように配置されている。具体的に、引込分岐端子箱１００においては、第１の長さの固定部材１０７と、第１の長さよりも長い第２の長さの固定部材１０７と、が交互に配置されている。
【００１９】
（固定部材１０７の構成）
つぎに、固定部材１０７の構成について説明する。図３は、固定部材１０７の構成を示す説明図である。固定部材１０７は、略円柱形状をなす螺子部（軸部）３０１と、当該螺子部３０１の軸心方向の一端に設けられた頭部３０２と、を備えたアイボルトによって実現される。第１の長さと第２の長さとの差分は、螺子部３０１の軸心方向における頭部３０２の寸法と同等以上とされている。
【００２０】
螺子部３０１の外周面には、螺旋状の螺子山が設けられている。螺子部３０１において、頭部３０２とは反対側の端部は、たとえば、軸心に直交する平面に沿った平坦な形状とすることができる。頭部３０２とは反対側の端部を、軸心に直交する平面に沿った平坦な形状とすることにより、引下線１０１やケーブル１０２を傷つけることがない。
【００２１】
頭部３０２は、リング形状をなしている。具体的に、頭部３０２は、たとえば、螺子部３０１を構成する円柱を、リング形状に湾曲させることによって構成することができる。具体的に、図３においては、螺子部３０１を構成する円柱を略円形に湾曲させた頭部３０２を示している。
【００２２】
頭部３０２は、螺子部３０１と一体に設けられていることが好ましい。頭部３０２と螺子部３０１とを一体に設けることにより、固定部材１０７の強度を確保することができ、締めたり緩めたりする作業に際して固定部材１０７が変形したり破損したりすることを防止できる。
【００２３】
固定部材１０７においては、頭部３０２をリング形状とすることにより、頭部３０２に作業者の指先が引っかかりやすくなって頭部３０２を掴みやすくなる。また、頭部３０２に作業者の指先が引っかかりやすくなるため、掴んだ感触を認識しやすくなる。これにより、固定部材１０７を締めたり緩めたりする作業に際して固定部材１０７が変形したり破損したりすることを防止できる。
【００２４】
頭部３０２は、絶縁材料によって被覆されている。具体的には、たとえば、ゴム、シリコン、ウレタンゴム、エポキシ樹脂など公知の各種の材料を用いて被覆することができる。頭部３０２を被覆する絶縁材料は、ゴムなどのように、摩擦抵抗が大きい材料であることが好ましい。摩擦抵抗が大きい絶縁材料を用いて頭部３０２を被覆することにより、固定部材１０７を操作する際のグリップ性を確保し、容易かつ確実な操作を実現することができる。
【００２５】
（固定部材１０７の操作方法）
つぎに、固定部材１０７の操作方法について説明する。図４は、固定部材１０７の操作方法を示す説明図である。図４において、作業者は、引込分岐端子箱１００に対して引下線１０１やケーブル１０２を接続する作業に際して、作業者は、絶縁手袋４０１を着用して作業をおこなう。
【００２６】
作業者は、まず、該当する高圧側接続端子１０５または低圧側接続端子１０６における固定部材１０７の頭部３０２を手で把持する。そして、把持した固定部材１０７を軸心周りに回動させることによって、固定部材１０７を緩める。固定部材１０７は、高圧側接続端子１０５または低圧側接続端子１０６に、接続しようとする引下線１０１やケーブル１０２を挿入することができる程度まで緩める。
【００２７】
つぎに、固定部材１０７を緩めた高圧側接続端子１０５または低圧側接続端子１０６に、接続しようとする引下線１０１やケーブル１０２を挿入する。引下線１０１やケーブル１０２は、該当する高圧側接続端子１０５または低圧側接続端子１０６を貫通して、挿入した側とは反対側の端部から突出するまで挿入する。
【００２８】
そして、引下線１０１やケーブル１０２を該当する高圧側接続端子１０５または低圧側接続端子１０６に挿入した状態のまま、固定部材１０７を螺合させて締め込む。固定部材１０７は、引下線１０１やケーブル１０２が高圧側接続端子１０５または低圧側接続端子１０６から抜け落ちない程度になるまで締め込む。
【００２９】
引込分岐端子箱１００に接続された引下線１０１やケーブル１０２を、引込分岐端子箱１００から取り外す作業は、上述した接続作業とは反対の手順でおこなう。すなわち、作業者は、引込分岐端子箱１００に接続されている引下線１０１やケーブル１０２を片手で把持し、他方の手で固定部材１０７を把持する。
【００３０】
そして、把持した固定部材１０７を操作して、緩める方向に回転させる。固定部材１０７は、引下線１０１やケーブル１０２を高圧側接続端子１０５または低圧側接続端子１０６から引き抜くことができる程度になるまで緩める。その後、固定部材１０７を緩めた高圧側接続端子１０５または低圧側接続端子１０６から、引下線１０１やケーブル１０２を引き抜いて作業を終了する。
【００３１】
図５〜図７は、固定部材１０７における頭部３０２の別の形状の一例を示す説明図である。上述した実施の形態においては、螺子部２０１を構成する円柱を略円形に湾曲させることによって形成された頭部３０２を備える固定部材１０７について説明したが、頭部３０２の形状はこれに限るものではない。固定部材１０７の頭部３０２は、リング形状であればよく、図５〜図７に示すように、各種の形状とすることができる。
【００３２】
以上説明したように、この実施の形態の引込分岐端子箱１００は、配電線から分岐された引下線１０１を電気の需要施設に接続されるケーブル１０２に分岐する引込分岐端子箱１００であって、引下線１０１とケーブル１０２とを電気的に接続する導体である高圧側接続端子１０５および低圧側接続端子１０６と、高圧側接続端子１０５および低圧側接続端子１０６に螺合されることにより引下線１０１およびケーブル１０２を高圧側接続端子１０５および低圧側接続端子１０６に固定する固定部材１０７と、を備え、固定部材１０７は、高圧側接続端子１０５および低圧側接続端子１０６に螺合される螺子部３０１と、当該螺子部３０１に連続したリング形状をなす頭部３０２と、を備えたアイボルトであることを特徴としている。
【００３３】
この実施の形態の引込分岐端子箱１００によれば、作業者が頭部３０２を把持して固定部材１０７を手で操作することができるので、固定部材１０７に対して、当該固定部材１０７が破損するほどの過剰な力をかけることなく、固定部材１０７を回転させることができる。これにより、固定部材１０７の破損を防止するとともに、固定部材１０７を破損させることのない作業により作業者にかかる負担軽減を図ることができる。
【００３４】
また、この発明にかかる実施の形態の引込分岐端子箱１００によれば、工具を使用することなく固定部材１０７を手で操作することができるので、作業にかかる工具の準備や当該工具を持ち歩く必要性をなくし、作業効率の向上を図ることができる。
【００３５】
また、この発明にかかる実施の形態の引込分岐端子箱１００によれば、固定部材１０７の頭部３０２に孔が空いていることにより、作業者が、頭部３０２を掴みやすくなり、掴んだ感触を認識しやすい。これにより、固定部材１０７の破損を確実に防止するとともに、固定部材１０７を破損させることのない作業により作業者にかかる負担軽減を図ることができる。
【００３６】
また、この発明にかかる実施の形態の引込分岐端子箱１００は、固定部材１０７の頭部３０２は、絶縁材料によって被覆されていることを特徴とする。
【００３７】
この発明にかかる実施の形態の引込分岐端子箱１００によれば、頭部３０２が絶縁材料によって被覆されているため、作業者が頭部３０２を把持して固定部材１０７を手で操作する際の安全性を確保することができる。これにより、作業者は、固定部材１０７を確実に把持して操作することができる。
【００３８】
また、この発明にかかる実施の形態の引込分岐端子箱１００は、固定部材１０７が、隣り合う固定部材１０７の高圧側接続端子１０５および低圧側接続端子１０６からの距離が異なるように配置されていることを特徴としている。
【００３９】
この実施の形態の引込分岐端子箱１００によれば、頭部３０２の大きさを作業者が手で把持できる程度に大きくした場合にも、固定部材１０７どうしが干渉することを防止できる。これにより、作業を確実におこなうことができ、作業時間の短縮を図ることができる。
【産業上の利用可能性】
【００４０】
以上のように、この発明にかかる引込分岐端子箱は、配電線の分岐作業に用いる引込分岐端子箱に有用であり、特に、足場が悪い、あるいは高所であるなど、厳しい作業環境においておこなう配電線の分岐作業に用いる引込分岐端子箱に適している。
【符号の説明】
【００４１】
１００  引込分岐端子箱
１０１  引下線
１０２  ケーブル
１０５  高圧側接続端子
１０６  低圧側接続端子
１０７  固定部材
３０１  螺子部
３０２  頭部
【図１】
2018067385.tif 000003
【図２】
2018067385.tif 000004
【図３】
2018067385.tif 000005
【図４】
2018067385.tif 000006
【図５】
2018067385.tif 000007
【図６】
2018067385.tif 000008
【図７】
2018067385.tif 000009